(57)【要約】【課題】材料消費を大幅に抑えつつ、全長における異なる範囲でそれぞれ互いに異なる所定の厚さを有する最終製品の製造方法を提供すること。【解決手段】外周が所定の形状に形成され、かつ、全長Ｌ1における異なる範囲でそれぞれ互いに異なる所定の厚さを有する最終製品６を薄板から製造する方法において、まず、一定の厚さを有する前記薄板を、当該初期材料３の形状を交互に組み合わせる形で打ち抜いて初期材料３を製作し、つづいて、該初期材料３をその長手方向に圧延機スタンド５へ導入して最終製品６を製造する。【選択図】図３
2010179368.tif 000002
【特許請求の範囲】
【請求項１】
外周が所定の形状に形成され、かつ、全長（Ｌ1）における異なる範囲（Ａ，Ｂ，Ｃ）でそれぞれ互いに異なる所定の厚さを有する最終製品（６）を薄板（１）から製造する方法において、
まず、一定の厚さ（Ｄ）を有する前記薄板（１）を、当該初期材料（３）の形状を交互に組み合わせる形で打ち抜いて初期材料（３）を製作し、つづいて、該初期材料（３）をその長手方向に圧延機スタンド（５）へ導入して、該圧延機スタンド（５）内で、全長（Ｌ1）における異なる範囲（Ａ，Ｂ，Ｃ）でそれぞれ互いに異なる所定の厚さを有する前記最終製品（６）を製造することを特徴とする製造方法。
【請求項２】
前記初期材料（３）を、前記薄板（１）の長手方向又は該長手方向に対して垂直な方向に、略Ｔ字状を交互に組み合わせる形に打ち抜いて略Ｔ字状に形成し、前記最終製品（６）へ圧延することを特徴とする請求項１記載の製造方法。
【請求項３】
前記初期材料（５）を、その長手方向に引張力（Ｖ）を作用させつつ前記圧延機スタンド（５）を通過させることを特徴とする請求項１又は２記載の製造方法。
【請求項４】
前記圧延機スタンド（５）への導入前に前記初期材料（３）の厚さ（Ｄ1）を測定するとともに、前記圧延機スタンド（５）における厚さについての公差を考慮しつつ、前記最終製品（６）へ圧延することを特徴とする請求項１〜３のいずれか１項に記載の製造方法。
【請求項５】
前記初期材料（５）を、コイルから引き抜いて形成した金属片（２）を打ち抜いて製作することを特徴とする請求項１〜４のいずれか１項に記載の製造方法。
【発明の詳細な説明】
【技術分野】
【０００１】
本発明は、請求項１の前提部分に基づく、所定の外周形状に形成された最終製品を薄板から製造する方法に関するものである。
【背景技術】
【０００２】
外周が所定の形状に形成された製品は原動機付き車両（以下単に「車両」という。）のボデー用の初期材料として知られており、この初期材料から例えばＡピラー、Ｂピラー、Ｃピラーなどが製造される。このような部材はその全長における異なる範囲でそれぞれ互いに異なる強度を有しているため、材料消費を抑えつつ全長において異なる大きさの応力に耐え得るよう、部材の全長において所定の範囲ごとに異なる厚さに設定されている。
【０００３】
また、コイルを伸ばして金属片を形成し、これを圧延機スタンドに通過させることが知られており、圧延機スタンドにおける圧延厚さ制御は、通過する金属片がその部分ごとに異なる厚さとなるように行われる。その後、この圧延された金属片は、所定の外周形状に打ち抜かれ、更なる加工工程へと案内される。
【発明の概要】
【発明が解決しようとする課題】
【０００４】
しかしながら、圧延した後に製品の打抜きを行うこと、及び金属片における互いに異なる厚さを有する範囲がその全長にわたることから、特に外周形状が複雑な場合には、材料のロスが大きくなって不都合であるという問題がある。
【０００５】
本発明は上記問題にかんがみてなされたもので、その目的とするところは、材料消費を大幅に抑えつつ、全長における異なる範囲でそれぞれ互いに異なる所定の厚さを有する最終製品の製造方法を提供することにある。
【課題を解決するための手段】
【０００６】
上記目的は、請求項１記載の特徴によって達成される。すなわち、まず、一定の厚さを有する薄板を、当該初期材料の形状を交互に組み合わせる形で打ち抜いて初期材料を製作する。このとき、初期材料の位置を、該初期材料の外周形状に応じて薄板をできる限り多く使用するように設定するのが好ましい。このような適当な設定により、外周形状により異なるが、金属くずを１０〜３０％削減することが可能である。これにより、更に大幅なコスト削減を図ることができる。
【０００７】
つづいて、初期材料をその長手方向に圧延機スタンドへ導入し、該圧延機スタンド内で、全長における異なる範囲でそれぞれ互いに異なる所定の厚さを有する最終製品が製造される。このとき、初期材料が最終製品へ圧延される間に材料の長さが伸長されるため、この伸長を上記初期材料の位置の設定時に考慮する必要がある。
【０００８】
また、最終製品が略Ｔ字状に形成するのが好ましい。そこで、請求項２記載の発明は、初期材料を、薄板の長手方向又は該長手方向に対して垂直な方向に、略Ｔ字状を交互に組み合わせる形に打ち抜いて略Ｔ字状に形成し、最終製品へ圧延することを特徴としている。その後、この最終製品は、例えば車両のＡピラー、Ｂピラー、Ｃピラーなどのボデー部材に更に加工される。
【０００９】
また、最終製品に不都合な形状誤差が生じないよう、請求項３記載の発明は、初期材料を、その長手方向に引張力を作用させつつ圧延機スタンドを通過させることを特徴としている。このとき、引張力を生じさせる装置としては、適当な装置を使用することが考えられる。
【００１０】
また、用意した薄板の厚さについて誤差が生じている場合があることを考慮するために、請求項４記載の発明は、圧延機スタンドへの導入前に初期材料の厚さを測定するとともに、圧延機スタンドにおける厚さについての公差を考慮しつつ、最終製品へ圧延することを特徴としている。
【００１１】
さらに、初期材料を例えば金属プレートなどの薄板から打ち抜いて形成するか、又は連続的な加工工程に打抜き工程を包含させることが可能である。そして、請求項５記載の発明は、初期材料を、コイルから引き抜いて形成した金属片を打ち抜いて製作することを特徴としている。すなわち、初期材料は、個々に打ち抜かれた後、長手方向に圧延機スタンドへ案内され、全長における異なる範囲でそれぞれ所定の厚さとなるよう圧延され、最終製品に成形される。
【発明の効果】
【００１２】
本発明によれば、金属くずを大幅に削減することが可能であるとともに、大幅なコスト削減も図ることができる。
【図面の簡単な説明】
【００１３】
【図１】金属片の長手方向部分を示す平面図である。
【図２】金属片から打ち抜かれた初期材料を示す平面図である。
【図３】圧延前、圧延中及び圧延後の初期材料の概略を示す側面図である。
【図４】図３と同様の初期材料の概略を示す平面図である。
【図５】初期材料から成形された最終製品を示す平面図である。
【発明を実施するための形態】
【００１４】
以下に本発明の実施の形態を添付図面に基づいて説明する。
【００１５】
図１には長さが特に特定されていない金属片２の構成部材としての薄板１が示されており、金属片２は、その全長にわたって一定の厚さＤとなっている。なお、この金属片２について、これを不図示のコイルから引き抜いて成形することが可能である。
【００１６】
しかして、不図示のパンチが移動し、図２に示すような略Ｔ字状の外形を有する初期材料３が金属片２から打ち抜かれる。この打抜き作業は、図１に示すように、初期材料３が金属片２の長手方向に対して垂直に交互に組み込まれるような形で行われる。これにより、初期材料３を金属片２の長手方向に打ち抜く実施形態と比べて金属くず４を大幅に削減することが可能である。なお、打ち抜くべき初期材料３の外形が図１において斜線で示されている。
【００１７】
また、初期材料３を金属片２の長手方向に交互に組み込まれるような形で打ち抜くような実施形態も考えられる。
【００１８】
そして、打ち抜かれた初期材料３は、図３及び図４に示すように長手方向に圧延機スタンド５へ案内され、全長Ｌにおける異なる範囲Ａ，Ｂ，Ｃでそれぞれ所定の厚さとなるよう圧延され、最終製品６が形成される（図５も参照）。この圧延時には、不図示の装置によって、初期材料３の長手方向に対して引張力Ｖが作用するようになっている。また、圧延機スタンド５への導入前には初期材料３の厚さＤ1が測定され、圧延機スタンド５における厚さについての公差が考慮されつつ、図３〜図５に示すように最終製品６へと圧延される。
【００１９】
図３〜図５に示す最終製品６は、圧延により初期材料３の長さが引き延ばされるため、その長さＬ1が初期材料３の長さＬよりも長くなっている点で図２〜図４に示す初期材料３と異なっている。
【符号の説明】
【００２０】
１            薄板
２            金属片
３            初期材料
４            金属くず
５            圧延機スタンド
６            最終製品
Ａ，Ｂ，Ｃ    範囲
Ｄ            金属片の厚さ
Ｄ1           圧延機スタンド導入前の初期材料の厚さ
Ｌ            初期材料の長さ
Ｌ1           最終製品の長さ
Ｖ            引張力
【図１】
2010179368.tif 000003
【図２】
2010179368.tif 000004
【図３】
2010179368.tif 000005
【図４】
2010179368.tif 000006
【図５】
2010179368.tif 000007